(57)【要約】【課題】原稿が送信済みか否かを確実に判別できるファクシミリ装置を提供する。【解決手段】ＲＦＩＤタグ付きの原稿を送信すると、その原稿に付されたＲＦＩＤタグに送信日時の情報が記録される。ＲＦＩＤタグ付きの原稿を送信する際は、その原稿に付されたＲＦＩＤタグに送信日時の情報が記録されているか否かを検出し、送信日時の情報が記録されていれば、送信済みと判断して、警告を発する。【選択図】      図６
2005295454.tif 000002
【特許請求の範囲】
【請求項１】
原稿に記録された文字や図形などを読み取り、指定された送信先に送信するファクシミリ装置において、
原稿識別情報が記録された原稿と、
原稿に記録されている原稿識別情報を読み取る読取手段と、
送信しようとする原稿の送信済みを警告する警告手段と、
送信した原稿の原稿識別情報を記憶媒体に記録する記録手段と、
送信しようとする原稿の原稿識別情報が、前記記憶媒体に記憶されているか否か判定し、記憶されている場合に前記警告手段に警告を発生させる制御手段と、
を備えたことを特徴とするファクシミリ装置。
【請求項２】
前記原稿識別情報は、前記原稿に付されたＲＦＩＤタグに記録され、前記読取手段は、前記原稿に付されたＲＦＩＤタグから前記原稿識別情報を読み取ることを特徴とする請求項１に記載のファクシミリ装置。
【請求項３】
原稿に記録された文字や図形などを読み取り、指定された送信先に送信するファクシミリ装置において、
書き換え可能なＲＦＩＤタグが付された原稿と、
原稿に付されているＲＦＩＤタグに記録されている情報を読み取る読取手段と、
送信しようとする原稿の送信済みを警告する警告手段と、
送信した原稿に付されているＲＦＩＤタグに送信済み情報を書き込む書き込み手段と、
送信しようとする原稿に付されているＲＦＩＤタグに送信済み情報が記録されているか否か判定し、記憶されている場合に前記警告手段に警告を発生させる制御手段と、
を備えたことを特徴とするファクシミリ装置。
【発明の詳細な説明】
【技術分野】
【０００１】
本発明はファクシミリ装置に係り、特に原稿に記録された文字や図形などを読み取り、指定された送信先に送信するファクシミリ装置に関する。
【背景技術】
【０００２】
一般にファクシミリ装置を使って原稿を送信する場合、送信済みの原稿の二重送信を防止するため、送信済みの原稿には、その表面に送信済みであることを示すスタンプが押印される。
【０００３】
しかし、このように原稿の表面にスタンプを押印する方法では、原稿を汚してしまうという欠点があった。
【０００４】
そこで、特許文献１では、送信済みを示すスタンプを原稿の裏面に押印することが提案されている。
【０００５】
また、特許文献２では、送信済みの原稿の裏面に送信済みを示すスタンプを捺印する原稿送信済みスタンプ捺印部を設けるとともに、送信する原稿の裏面に押印されているスタンプを検出する原稿スタンプ検出部を設け、この原稿スタンプ検出部でスタンプを検出すると、送信しようとする原稿が送信済みであることを示すメッセージを表示するファクシミリ装置が提案されている。
【０００６】
また、一方でＲＦＩＤ（Radio Frequency Identification）タグを用紙に組み込み、原稿を送信又はコピーすると、その操作者のＩＤ番号が原稿に付されたＲＦＩＤタグに書き込まれる装置も提案されている（たとえば、特許文献３、４）。
【特許文献１】特開平１−２０５６５８号公報
【特許文献２】特開平９−９３３８０号公報
【特許文献３】特開２００１−１６０１１７号公報
【特許文献３】特開２００２−３３７４２６号公報
【発明の開示】
【発明が解決しようとする課題】
【０００７】
しかしながら、上記特許文献１、２のように、裏面に押印する場合であっても、原稿にスタンプが押印されてしまうことに変わりはなく、依然として原稿を汚してしまうという欠点があった。特に、両面印刷がなされている原稿には、裏面にスタンプを押印しても全く意味をなさないという欠点があった。
【０００８】
また、特許文献１、２のファクシミリ装置では、スタンプの捺印から送信済みか否かを判別することができるが、複数の送信先に送信する場合において、送信先ごとに送信済みか否かを判別することはできないという欠点があった。
【０００９】
また、特許文献３、４は、不正な複写やファクシミリの送信を防止する点では効果があるが、二重送信を防止することはできないという欠点がある。
【００１０】
本発明は、このような事情に鑑みてなされたもので、原稿が送信済みか否かを確実に判別できるファクシミリ装置を提供することを目的とする。
【課題を解決するための手段】
【００１１】
請求項１に係る発明は、前記目的を達成するために、原稿に記録された文字や図形などを読み取り、指定された送信先に送信するファクシミリ装置において、原稿識別情報が記録された原稿と、原稿に記録されている原稿識別情報を読み取る読取手段と、送信しようとする原稿の送信済みを警告する警告手段と、送信した原稿の原稿識別情報を記憶媒体に記録する記録手段と、送信しようとする原稿の原稿識別情報が、前記記憶媒体に記憶されているか否か判定し、記憶されている場合に前記警告手段に警告を発生させる制御手段と、を備えたことを特徴とするファクシミリ装置を提供する。
【００１２】
本発明によれば、原稿を送信すると、送信した原稿に記録されている原稿識別情報が記録手段によって記憶媒体に記憶される。一方、原稿送信時は、送信しようとする原稿に記録されている原稿識別情報が読取手段で読み取られる。そして、読み取った原稿識別情報が記憶媒体に記憶されていると、警告手段によって当該原稿の送信済みが警告される。
【００１３】
また、請求項２に係る発明は、前記目的を達成するために、前記原稿識別情報は、前記原稿に付されたＲＦＩＤタグに記録され、前記読取手段は、前記原稿に付されたＲＦＩＤタグから前記原稿識別情報を読み取ることを特徴とする請求項１に記載のファクシミリ装置を提供する。
【００１４】
本発明によれば、原稿に付されたＲＦＩＤタグに原稿識別情報が記録され、このＲＦＩＤタグに記録された原稿識別情報が、読取手段によって読み取られる。
【００１５】
また、請求項３に係る発明は、前記目的を達成するために、原稿に記録された文字や図形などを読み取り、指定された送信先に送信するファクシミリ装置において、書き換え可能なＲＦＩＤタグが付された原稿と、原稿に付されているＲＦＩＤタグに記録されている情報を読み取る読取手段と、送信しようとする原稿の送信済みを警告する警告手段と、送信した原稿に付されているＲＦＩＤタグに送信済み情報を書き込む書き込み手段と、送信しようとする原稿に付されているＲＦＩＤタグに送信済み情報が記録されているか否か判定し、記憶されている場合に前記警告手段に警告を発生させる制御手段と、を備えたことを特徴とするファクシミリ装置を提供する。
【００１６】
本発明によれば、原稿を送信すると、送信した原稿に付されているＲＦＩＤタグに送信済み情報が書き込まれる。原稿送信時は、原稿に付されているＲＦＩＤタグに記録されている情報が読取手段で読み取られる。そして、この読み取った情報に送信済み情報が含まれていると、警告手段によって当該原稿の送信済みが警告される。
【発明の効果】
【００１７】
本発明に係るファクシミリ装置によれば、原稿が送信済みか否かを確実に判別することができる。
【発明を実施するための最良の形態】
【００１８】
以下、添付図面に従って本発明に係るファクシミリ装置を実施するための最良の形態について説明する。
【００１９】
図１は、本発明に係るファクシミリ装置で使用するファクシミリ用紙の一実施形態を示す斜視図である。
【００２０】
同図に示すように、ファクシミリ用紙１には、ＲＦＩＤリーダ／ライタを介して内蔵するメモリにデータを読み書きでき、そのデータを電波によって送受信するＲＦＩＤタグ１０が設けられている。
【００２１】
図２は、ＲＦＩＤタグの電気的構成を示すブロック図である。同図に示すように、ＲＦＩＤタグ１０は、アンテナ用コイル１２、共振コンデンサ１４、整流・平滑回路１６、変復調回路１８、ＣＰＵ２０、ＲＯＭ２２及びＥＥＰＲＯＭ２４で構成されている。
【００２２】
アンテナ用コイル１２は、共振コンデンサ１４と並列に接続されて共振回路を構成し、ＲＦＩＤリーダ／ライタから送信される所定の高周波数の電力用電波信号を受信して整流・平滑回路１６に供給する。
【００２３】
整流・平滑回路１６は、動作用電源回路を構成するもので、共振回路から送信されてきた電力用電波信号を整流し、平滑化して一定電圧の直流電力（動作用電力）にしてＣＰＵ２０などに供給する。
【００２４】
ＲＦＩＤリーダ／ライタから送信されてくる信号は、電力用電波信号に重畳して送信され、その信号は変復調回路１８により復調されてＣＰＵ２０に与えられる。
【００２５】
ＣＰＵ２０は、ＲＯＭ２２に記憶された動作プログラムに従って動作し、変復調回路１８から入力される信号に応じた処理を実行し、受信したデータをＥＥＰＲＯＭ２４に書き込んだり、ＥＥＰＲＯＭ２４からデータを読み出して変復調回路１８により変調し、アンテナ用コイル１２から電波信号として送信したりする。
【００２６】
上記構成のＲＦＩＤタグ１０において、整流・平滑回路１６、変復調回路１８、ＣＰＵ２０、ＲＯＭ２２、ＥＥＰＲＯＭ２４はＩＣチップとされ、アンテナ用コイル１２とともにフィルムに実装されて、ファクシミリ用紙１の中に埋め込まれる。
【００２７】
図３は、ＲＦＩＤリーダ／ライタの電気的構成を示すブロック図である。同図に示すように、ＲＦＩＤリーダ／ライタ３０は、送信アンテナ用コイル３２を備えた送信部３４と、受信アンテナ用コイル３６を備えた受信部３８と、全体を制御するリーダ／ライタ制御部４０とで構成されている。ＲＦＩＤタグ１０と通信する場合は、キャリア信号を送信部３４で変調して電力用電波信号として送信アンテナ用コイル３２から送信し、その後、送信すべきデータ信号を電力用電波信号に重畳するように送信部３４で変調して送信アンテナ用コイル３２から送信する。ＲＦＩＤタグ１０から送信された電波信号については、これを受信アンテナ用コイル３６で受信し、受信部３８で復調してデータとして弁別する。
【００２８】
図４は、本発明に係るファクシミリ装置の一実施形態を示す正面図である。同図に示すように、ファクシミリ装置５０は、装置本体５２の上部に原稿トレイ５４を備えている。原稿トレイ５４には、送信対象とする原稿がセットされる。原稿トレイ５４にセットされた原稿は、図示しない自動原稿送り装置によって所定の原稿送り経路５６に沿って送られ、原稿読み取り部５８を通過して、原稿排出トレイ６０に排出される。そして、その原稿送り経路５６を通過する過程で原稿読み取り部５８に設置されたスキャナ６２によって表面に記録されている文字や図形などの視認情報が読み取られる。
【００２９】
また、原稿トレイ５４には、ＲＦＩＤリーダ／ライタ３０が取り付けられており、セットされた原稿が上述したファクシミリ用紙１で作成された原稿の場合、このＲＦＩＤリーダ／ライタ３０によって、ＲＦＩＤタグ１０にデータが読み書きされる。
【００３０】
装置本体５２の内部には、プリント用紙を収容する用紙トレイ６４が出し入れ可能に設けられている。用紙トレイ６４に収容されたプリント用紙は、図示しない自動給紙装置によってプリント部６６に送られ、プリント部６６で所要の情報がプリントされたのち、サイドトレイ６８に排出される。
【００３１】
図５は、本実施の形態のファクシミリ装置の電気的構成の概略を示すブロック図である。同図のように、ファクシミリ装置５０は、上述したＲＦＩＤリーダ／ライタ３０、スキャナ６２、プリント部６６の他、制御部７０、符号化／復号化部７２、ファクシミリ送信部と受信部を兼用するファクシミリ通信制御部７４、記憶装置７６、操作部７８、表示部８０、計時部８２などが接続されている。
【００３２】
制御部７０は、ファクシミリ装置５０の全体動作を統括制御し、ＣＰＵ、ＲＯＭ、ＲＡＭなどを備えたコンピュータシステムにより構成されている。
【００３３】
符号化／復号化部７２は、スキャナ６２が読み込んだ画像情報を所定の符号化方式に従って符号化し、ファクシミリ信号とするとともに、受信したファクシミリ信号を復号化する。
【００３４】
ファクシミリ通信制御部７４は、通信回線の制御を行う網制御部８４を介して電話回線などから構成される通信網に接続され、相手側のファクシミリ装置との間でファクシミリ信号を交換し、ファクシミリ通信を実行する。このファクシミリ通信制御部７４は、モデム８６を有し、相手側のファクシミリ装置へ送る送信信号を変調し、相手側のファクシミリから受ける受信信号を復調する。
【００３５】
記憶装置７６は、送信・受信データや送信ログ、受信ログなどの各種のデータを記憶する。
【００３６】
操作部７８は、相手先のファクシミリ番号を入力するためのテンキーや送信実行を指示する送信キー、送信中止を指示するキャンセルキー、その他、各種操作ボタンを備えており、この操作部７８から入力される情報に基づいて制御部７０は各部を統括制御する。
【００３７】
表示部８０は、液晶ディスプレイで構成されており、送信先の表示や操作メニューの表示のほか、警告メッセージの表示等に使用される。また、計時部８２は、現在日時を計時する。
【００３８】
次に、前記のごとく構成された本実施の形態のファクシミリ装置５０の作用について説明する。
【００３９】
本実施の形態のファクシミリ装置５０では、ＲＦＩＤタグ付きのファクシミリ用紙で作成した原稿を送信すると、その原稿に付されたＲＦＩＤタグ１０に原稿を送信した日時の情報が送信済み情報として記録される。
【００４０】
したがって、ＲＦＩＤタグ付きの原稿の場合には、原稿に付されているＲＦＩＤタグ１０からデータを読み取り、送信日時の情報が記録されているか否かを検出すれば、その原稿が既に送信されているものか否かを判断することができる。
【００４１】
以下、この本実施の形態のファクシミリ装置５０におけるファクシミリ送信処理の手順を図６に示すフローチャートに従って説明する。
【００４２】
まず、送信しようとする原稿を原稿トレイ５４にセットする（ステップＳ１０）。原稿トレイ５４に原稿がセットされると、ＲＦＩＤリーダ／ライタ３０にて原稿に付されたＲＦＩＤタグ１０からデータの読み取りが行なわれる（ステップＳ１１）。
【００４３】
制御部７０は、この読み取り結果から、送信しようとする原稿にＲＦＩＤタグ１０が付されているか否か判定し（ステップＳ１２）、付されていないと判定した場合は、そのままセットされた原稿を指定された送信先に送信する（ステップＳ１３）。
【００４４】
一方、送信しようとする原稿にＲＦＩＤタグ１０が付されていると判定すると、そのＲＦＩＤタグ１０に送信日時情報（送信済み情報）が記録されている否か判定する（ステップＳ１４）。
【００４５】
ここで、送信日時情報が記録されていないと判定すると、その原稿は未送信の原稿と判断し、制御部７０は、指定された送信先に送信する（ステップＳ１５）。そして、送信した原稿に付されているＲＦＩＤタグ１０にＲＦＩＤリーダ／ライタ３０を介して計時部８２から取得した現在日時を送信日時として記録し（ステップＳ１６）、送信処理を終了する。
【００４６】
一方、送信しようとする原稿に付されたＲＦＩＤタグ１０に送信日時の情報が記録されていると判定すると、制御部７０は、表示部８０に当該原稿が既に送信済みであることを警告するメッセージ（たとえば、「送付済み、送信しますか？」）を表示させる（ステップＳ１７）。
【００４７】
ユーザは、この表示部８０に表示されたメッセージを強制送信するか否かを判断し、強制送信する場合は、操作部７８の送信キーを押す。また、送信を中止する場合は、操作部７８のキャンセルキーを押す。
【００４８】
制御部７０は、操作部７８における送信キーの押下の有無を判定する（ステップＳ１８）。そして、送信キーが押下されたと判定すると、指定された送信先に原稿を強制的に送信する（ステップＳ１５）。そして、送信した原稿に付されているＲＦＩＤタグ１０にＲＦＩＤリーダ／ライタ３０を介して計時部８２から取得した現在日時を送信日時として記録し（ステップＳ１６）、送信処理を終了する。
【００４９】
この場合、先に記録されている送信日時を書き換えてもよいし、２度目の送信であることを示すため、双方の送信日時を記録しておくようにしてもよい。
【００５０】
一方、送信キーの押下なしと判定した場合は、キャンセルキーの押下の有無を判定し（ステップＳ１９）、キャンセルキーが押下されたと判定すると、送信処理を中止して、処理を終了する。
【００５１】
このように、本実施の形態のファクシミリ装置５０によれば、ＲＦＩＤタグ付きの原稿を送信すると、その原稿に付されたＲＦＩＤタグ１０に送信日時の情報が記録される。したがって、ＲＦＩＤタグ付きの原稿を送信する際は、その原稿に付されたＲＦＩＤタグ１０に送信日時の情報が記録されているか否かを検出することにより、その原稿が送信済みか否か容易に判断することができる。これにより、不要な二重送信を未然に防止することができる。
【００５２】
また、スタンプ等を押印することもないので、重要な書類であっても、原稿を汚すことがない。
【００５３】
なお、本実施の形態では、送信済み情報として原稿の送信日時をＲＦＩＤタグ１０に記録するようにしているが、送信済み情報は、送信済みであるか否かを判別できるものであればよく、送信日時以外の情報でもよい。
【００５４】
たとえば、送信先の情報を記録してもよい。このように、送信先の情報をＲＦＩＤタグ１０に記録した場合は、今回送信しようとする送信先とＲＦＩＤタグ１０に記録されている送信先とを比較し、一致する場合にのみ警告を発するようにしてもよい。
【００５５】
また、本実施の形態では、送信済みであることを警告する方法として、表示部８０に警告メッセージを表示するようにしているが、この他、音声やブザー、警告用のランプの点灯、点滅によって警告するようにしてもよい。
【００５６】
また、表示部８０に警告メッセージを表示する際、警告メッセージと合わせてＲＦＩＤタグ１０から読み取った送信日時の情報を表示させるようにしてもよい。これにより、先に送信した日時を容易に確認することができる。
【００５７】
また、本実施の形態では、ＲＦＩＤリーダ／ライタを原稿トレイに設置しているが、ＲＦＩＤリーダ／ライタの設置場所は、これに限定されるものではなく、送信する原稿に付されたＲＦＩＤタグにデータを読み書きできる位置であれば、どこに設置してもよい。
【００５８】
次に、本発明に係るファクシミリ装置の第２の実施の形態について説明する。
【００５９】
本実施の形態のファクシミリ装置も、上述した第１の実施の形態のファクシミリ装置と同様にＲＦＩＤタグ付きのファクシミリ用紙１で原稿を送信する。
【００６０】
なお、装置の基本構成は、上述した第１の実施の形態のファクシミリ装置と同じなので、ここでは、ファクシミリの送信処理の手順についてのみ説明する。
【００６１】
本実施の形態で用いるファクシミリ用紙１のＲＦＩＤタグ１０には、あらかじめ用紙ごとに固有のＩＤ番号（原稿識別情報）が記録されている。
【００６２】
このファクシミリ用紙１で作成された原稿を本実施の形態のファクシミリ装置で送信すると、ＲＦＩＤリーダ／ライタ３０にてＲＦＩＤタグ１０に記録されているＩＤ番号が読み取られ、その読み取られたＩＤ番号が記憶装置７６に記録される。
【００６３】
したがって、送信する原稿がＲＦＩＤタグ付きの原稿の場合は、原稿に付されているＲＦＩＤタグ１０からＩＤ番号を読み取り、その読み取ったＩＤ番号が記憶装置７６に記録されているか否かを検出すれば、その原稿が既に送信されたものか否かを判断することができる。
【００６４】
以下、この本実施の形態のファクシミリ装置５０におけるファクシミリ送信処理の手順を図７に示すフローチャートに従って説明する。
【００６５】
まず、送信しようとする原稿を原稿トレイ５４にセットする（ステップＳ２０）。原稿トレイ５４に原稿がセットされると、ＲＦＩＤリーダ／ライタ３０にて原稿に付されたＲＦＩＤタグ１０からＩＤ番号の読み取りが行なわれる（ステップＳ２１）。
【００６６】
制御部７０は、この読み取り結果から、送信しようとする原稿にＲＦＩＤタグ１０が付されているか否か判定し（ステップＳ２２）、付されていないと判定した場合は、そのままセットされた原稿を指定された送信先に送信する（ステップＳ２３）。
【００６７】
一方、送信しようとする原稿にＲＦＩＤタグ１０が付されていると判定すると、そのＲＦＩＤタグ１０から読み取ったＩＤ番号が、記憶装置７６に記録されているか否かを判定する（ステップＳ２４）。
【００６８】
ここで、読み取ったＩＤ番号が記憶装置７６に記録されていないと判定すると、その原稿は未送信の原稿と判断し、制御部７０は、指定された送信先に送信する（ステップＳ２５）。そして、送信した原稿のＩＤ番号を送信日時の情報と共に記憶装置７６に記録し（ステップＳ２６）、処理を終了する。
【００６９】
一方、送信しようとする原稿のＩＤ番号が記憶装置７６に記憶されていると判定すると、制御部７０は、表示部８０に当該原稿が既に送信済みであることを警告するメッセージを表示させる（ステップＳ２７）。
【００７０】
ユーザは、この表示部８０に表示されたメッセージを強制送信するか否かを判断し、強制送信する場合は、操作部７８の送信キーを押す。また、送信を中止する場合は、操作部７８のキャンセルキーを押す。
【００７１】
制御部７０は、操作部７８における送信キーの押下の有無を判定する（ステップＳ２８）。そして、送信キーが押下されたと判定すると、指定された送信先に原稿を強制的に送信する（ステップＳ２５）。そして、送信した原稿のＩＤ番号を送信日時の情報と共に記憶装置７６に記録し（ステップＳ２６）、処理を終了する。
【００７２】
この場合、先に記録されている送信日時を書き換えてもよいし、２度目の送信であることを示すため、双方の送信日時を記録しておくようにしてもよい。
【００７３】
一方、送信キーの押下なしと判定した場合は、キャンセルキーの押下の有無を判定し（ステップＳ２９）、キャンセルキーが押下されたと判定すると、送信処理を中止して、処理を終了する。
【００７４】
このように、本実施の形態のファクシミリ装置によれば、ＲＦＩＤタグ付きの原稿を送信すると、その原稿に付されたＲＦＩＤタグ１０から固有のＩＤ番号が読み取られ、記憶装置７６に記録される。したがって、ＲＦＩＤタグ付きの原稿を送信する際は、その原稿に付されたＲＦＩＤタグ１０からＩＤ番号を読み取り、そのＩＤ番号が記憶装置７６に記録されているか否かを検出することにより、その原稿が送信済みか否か容易に判断することができる。これにより、不要な二重送信を未然に防止することができる。
【００７５】
なお、本実施の形態では、送信した原稿に付されているＲＦＩＤタグからＩＤ番号（原稿識別情報）を読み取り、送信済み情報として記憶装置に記録するようにしているが、ＩＤ番号（原稿識別情報）をコード化したバーコード（二次元バーコードを含む）を原稿に付し、この原稿に付されたバーコードをバーコードリーダで読み取り、送信済み情報として記憶装置に記録するようにしてもよい。
【００７６】
また、本実施の形態では、送信した原稿のＩＤ番号と共に送信日時の情報を記憶装置７６に記録するようにしているが、ＩＤ番号のみを記録するようにしてもよい。なお、本実施の形態のように、送信日時を合わせて記録することにより、警告メッセージを表示する際、送信日時の情報も合わせて表示させることができる。これにより、先に送信した日時を容易に確認することができる。
【００７７】
また、ＩＤ番号と共に送信先の情報を記憶装置７６に記録するようにしてもよい。このように、送信先の情報を読み取ったＩＤ番号と共に記録した場合は、読み取った原稿のＩＤ番号が記憶装置７６に記憶されている場合であっても、そのＩＤ番号に関連付けて記録されている送信先が一致しないときは、警告を発することなく、送信するようにしてもよい。
【００７８】
また、本実施の形態では、送信済みであることを警告する方法として、表示部８０に警告メッセージを表示するようにしているが、上記の第１の実施の形態のファクシミリ装置と同様に音声やブザー、警告用のランプの点灯、点滅によって警告するようにしてもよい。
【図面の簡単な説明】
【００７９】
【図１】ファクシミリ用紙の一実施形態を示す斜視図
【図２】ＲＦＩＤタグの電気的構成を示すブロック図
【図３】ＲＦＩＤリーダ／ライタの電気的構成を示すブロック図
【図４】ファクシミリ装置の一実施形態を示す正面図
【図５】ファクシミリ装置の電気的構成の概略を示すブロック図
【図６】第１の実施の形態のファクシミリ装置によるファクシミリ送信処理の手順を示すフローチャート
【図７】第２の実施の形態のファクシミリ装置によるファクシミリ送信処理の手順を示すフローチャート
【符号の説明】
【００８０】
１…ファクシミリ用紙、１０…ＲＦＩＤタグ、３０…ＲＦＩＤリーダ／ライタ、５０…ファクシミリ装置、７０…制御部、７６…記憶装置、８０…表示部
【図１】
2005295454.tif 000003
【図２】
2005295454.tif 000004
【図３】
2005295454.tif 000005
【図４】
2005295454.tif 000006
【図５】
2005295454.tif 000007
【図６】
2005295454.tif 000008
【図７】
2005295454.tif 000009